(57)【要約】【課題】一般ユーザであっても前枠の取り替えを容易に行え、ＴＰＯに応じた外観に容易に変更可能な眼鏡を提供する。【解決手段】左右のレンズ３１及び該左右のレンズ３１を保持するリム部３２を具備する前枠３と、左右のテンプル４と、該左右のテンプル４に連結され、前記前枠３が着脱自在に前面に取り付けられる細長部材２とを備えた眼鏡１であって、前記前枠３は、後方に突出し、側方に切欠部３３１が形成された突起部３３を具備し、前記細長部材２には、鼻パッド２５がそれぞれ取り付けられた弾性を有する左右のクリングス２４が設けられ、前記左右のクリングス２４が、互いに左右反対方向に付勢されると共に、前記左右のクリングス２４が互いに左右反対方向に弾性変形し、前記突起部３３の切欠部３３１に対して弾性的に係合することで、前記前枠３が前記細長部材２の前面に取り付けられることを特徴とする眼鏡１を提供する。【選択図】図１
0003124847.tif 000002
【実用新案登録請求の範囲】
【請求項１】
左右のレンズ及び該左右のレンズを保持するリム部を具備する前枠と、左右のテンプルと、該左右のテンプルに連結され、前記前枠が着脱自在に前面に取り付けられる細長部材とを備えた眼鏡であって、
前記前枠は、後方に突出し、側方に切欠部が形成された突起部を具備し、
前記細長部材には、鼻パッドがそれぞれ取り付けられた弾性を有する左右のクリングスが設けられ、
前記左右のクリングスが、互いに左右反対方向に付勢されると共に、前記左右のクリングスが互いに左右反対方向に弾性変形し、前記突起部の切欠部に対して弾性的に係合することで、前記前枠が前記細長部材の前面に取り付けられることを特徴とする眼鏡。
【請求項２】
左右のレンズ及び該左右のレンズを保持するリム部を具備する前枠と、左右のテンプルと、該左右のテンプルに連結され、前記前枠が着脱自在に後面に取り付けられる細長部材とを備えた眼鏡であって、
前記前枠は、前方に突出し、側方に切欠部が形成された突起部を具備し、
前記細長部材には、鼻パッドがそれぞれ取り付けられた弾性を有する左右のクリングスが設けられ、
前記左右のクリングスが、互いに左右反対方向に付勢されると共に、前記左右のクリングスが互いに左右反対方向に弾性変形し、前記突起部の切欠部に対して弾性的に係合することで、前記前枠が前記細長部材の後面に取り付けられることを特徴とする眼鏡。
【請求項３】
前記細長部材は、前後方向に延びる貫通孔を具備し、
前記切欠部は、前記突起部が前記貫通孔に挿通された状態において、前記貫通孔外に露出する位置に形成されており、
前記左右のクリングスは、前記貫通孔に前記突起部が挿通された状態の前記切欠部に対して弾性的に係合することを特徴とする請求項１又は２に記載の眼鏡。
【請求項４】
左右のレンズ及び該左右のレンズを保持するリム部を具備する前枠と、左右のテンプルと、該左右のテンプルに連結され、前記前枠が着脱自在に前面に取り付けられる細長部材とを備えた眼鏡であって、
前記細長部材は、前方に突出し、側方に切欠部が形成された突起部を具備し、
前記前枠には、鼻パッドがそれぞれ取り付けられた弾性を有する左右のクリングスが設けられ、
前記左右のクリングスが、互いに左右反対方向に付勢されると共に、前記左右のクリングスが互いに左右反対方向に弾性変形し、前記突起部の切欠部に対して弾性的に係合することで、前記前枠が前記細長部材の前面に取り付けられることを特徴とする眼鏡。
【請求項５】
左右のレンズ及び該左右のレンズを保持するリム部を具備する前枠と、左右のテンプルと、該左右のテンプルに連結され、前記前枠が着脱自在に後面に取り付けられる細長部材とを備えた眼鏡であって、
前記細長部材は、後方に突出し、側方に切欠部が形成された突起部を具備し、
前記前枠には、鼻パッドがそれぞれ取り付けられた弾性を有する左右のクリングスが設けられ、
前記左右のクリングスが、互いに左右反対方向に付勢されると共に、前記左右のクリングスが互いに左右反対方向に弾性変形し、前記突起部の切欠部に対して弾性的に係合することで、前記前枠が前記細長部材の後面に取り付けられることを特徴とする眼鏡。
【請求項６】
前記前枠は、前後方向に延びる貫通孔を具備し、
前記切欠部は、前記突起部が前記貫通孔に挿通された状態において、前記貫通孔外に露出する位置に形成されており、
前記左右のクリングスは、前記貫通孔に前記突起部が挿通された状態の前記切欠部に対して弾性的に係合することを特徴とする請求項４又は５に記載の眼鏡。
【考案の詳細な説明】
【技術分野】
【０００１】
本考案は、ＴＰＯ（時（Time）、場所（Place）、場合（Occasion））に応じて外観の変更が可能な眼鏡に関する。
【背景技術】
【０００２】
近年の眼鏡に対するファッション性、デザイン性等の装飾性重視の傾向により、前枠、テンプル等の部品に様々な装飾性を施した眼鏡が商品化されている。前枠は、左右のレンズ及びそれを保持するリム等から構成され、眼鏡の前面を占め、眼鏡の中で最も目立つ部分である。そのため、近年では、ＴＰＯに応じて前枠を取り替えることができる眼鏡に対する要望が高まっている。例えば、前枠を取り替えることができる眼鏡として、前枠が磁着によって着脱自在に取り付けられる眼鏡が提案されている。
【考案の開示】
【考案が解決しようとする課題】
【０００３】
しかし、前枠が磁着によって着脱自在に取り付けられる構成とするためには、眼鏡に磁石を設ける必要があるため、眼鏡が高価になったり、眼鏡の重量が増加したり、眼鏡のデザイン性が損ねられたりするという問題がある。
【０００４】
本考案は、前枠が着脱自在な眼鏡であって、廉価で、軽量で且つデザイン性に優れた眼鏡を提供することを課題とする。
【課題を解決するための手段】
【０００５】
前記課題を解決するべく、本考案は、第１の手段として、左右のレンズ及び該左右のレンズを保持するリム部を具備する前枠と、左右のテンプルと、該左右のテンプルに連結され、前記前枠が着脱自在に前面に取り付けられる細長部材とを備えた眼鏡であって、前記前枠は、後方に突出し、側方に切欠部が形成された突起部を具備し、前記細長部材には、鼻パッドがそれぞれ取り付けられた弾性を有する左右のクリングスが設けられ、前記左右のクリングスが、互いに左右反対方向に付勢されると共に、前記左右のクリングスが互いに左右反対方向に弾性変形し、前記突起部の切欠部に対して弾性的に係合することで、前記前枠が前記細長部材の前面に取り付けられることを特徴とする眼鏡を提供する。
【０００６】
第１の手段として提供される眼鏡によれば、前枠は、後方に突出し、切欠部が形成された突起部を具備している。一方、前枠が前面に取り付けられる細長部材には、鼻パッドがそれぞれ取り付けられた弾性を有する左右のクリングスが設けられている。左右のクリングスは、互いに左右反対方向に弾性変形し、それぞれ突起部の切欠部に対して弾性的に係合する。つまり、弾性変形によって生じるクリングスの付勢力が切欠部に作用する状態で係合する。このように、左右反対方向に弾性変形した左右のクリングスが弾性的に切欠部に係合することで、前枠は、左右のクリングスの弾性変形による左右反対方向の付勢力が釣り合う位置にて静止する。さらに、突起部の側方に形成された切欠部にクリングスが係合することで、クリングスに対して突起部、ひいては前枠の前後方向の移動が阻止される。このような突起部とクリングスとの係合によって、前枠は、細長部材に取り付けられる。さらに、突起部は後方に突出しており、当該突起部を細長部材のクリングスと係合させると、前枠を細長部材の前面に取り付けることができる。このように、テンプルと連結された細長部材の前面に左右のレンズを具備する前枠を取り付けると、これらを眼鏡として使用することができる。
【０００７】
また、左右のクリングスを切欠部と係合している状態からさらに弾性変形させて、切欠部と左右のクリングスとの係合を解除すれば、前枠を細長部材から取り外すことができる。
【０００８】
以上のように、本考案の眼鏡は、切欠部とクリングスとの係合によって、前枠が着脱自在に取り付けられる構成とされている。よって、本考案の眼鏡は、磁石を設けなくても、前枠を着脱自在に取り付けることができる構成とされているので、廉価で、軽量で且つデザイン性に優れる。
【０００９】
また、前記課題を解決するべく、本考案は、第２の手段として、左右のレンズ及び該左右のレンズを保持するリム部を具備する前枠と、左右のテンプルと、該左右のテンプルに連結され、前記前枠が着脱自在に後面に取り付けられる細長部材とを備えた眼鏡であって、前記前枠は、前方に突出し、側方に切欠部が形成された突起部を具備し、前記細長部材には、鼻パッドがそれぞれ取り付けられた弾性を有する左右のクリングスが設けられ、前記左右のクリングスが、互いに左右反対方向に付勢されると共に、前記左右のクリングスが互いに左右反対方向に弾性変形し、前記突起部の切欠部に対して弾性的に係合することで、前記前枠が前記細長部材の後面に取り付けられることを特徴とする眼鏡を提供する。
【００１０】
第２の手段として提供される眼鏡は、第１の手段として提供される眼鏡と同様に、突起部の切欠部とクリングスとを係合させることで、前枠を細長部材に取り付けることが可能な構成とされている。但し、第１の手段として提供される眼鏡と異なり、第２の手段として提供される眼鏡においては、前枠に設けられている突起部が前方に突出しているため、前枠を細長部材の後面に取り付けることが可能な構成とされている。また、第１の手段として提供される眼鏡と同様に、左右のクリングスを切欠部と係合している状態からさらに弾性変形させて、切欠部と左右のクリングスとの係合を解除すれば、前枠を細長部材から取り外すことができる。よって、第２の手段として提供される眼鏡は、第１の手段として提供される眼鏡と同様に、磁石を設けなくても、前枠を着脱自在に取り付けることができる構成とされているので、廉価で、軽量で且つデザイン性に優れる。
【００１１】
第１の手段及び第２の手段として提供される眼鏡において、好ましくは、前記細長部材は、前後方向に延びる貫通孔を具備し、前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合する構成とされる。
【００１２】
かかる好ましい構成によれば、細長部材が前後方向に延びる貫通孔を具備し、突起部が貫通孔に挿通されるため、細長部材に対する突起部の上下左右方向の移動が阻止される。これにより、突起部、ひいては前枠の細長部材への取り付け状態を安定化させることができる。また、切欠部は、突起部が貫通孔に挿通された状態において、貫通孔外に露出する位置に形成されているため、突起部を貫通孔に挿通しても、クリングスと突起部との係合が阻害されることはない。
【００１３】
また、前記課題を解決するべく、本考案は、第３の手段として、左右のレンズ及び該左右のレンズを保持するリム部を具備する前枠と、左右のテンプルと、該左右のテンプルに連結され、前記前枠が着脱自在に前面に取り付けられる細長部材とを備えた眼鏡であって、前記細長部材は、前方に突出し、側方に切欠部が形成された突起部を具備し、前記前枠には、鼻パッドがそれぞれ取り付けられた弾性を有する左右のクリングスが設けられ、前記左右のクリングスが、互いに左右反対方向に付勢されると共に、前記左右のクリングスが互いに左右反対方向に弾性変形し、前記突起部の切欠部に対して弾性的に係合することで、前記前枠が前記細長部材の前面に取り付けられることを特徴とする眼鏡を提供する。
【００１４】
第３の手段として提供される眼鏡は、第１の手段として提供される眼鏡と同様に、突起部の切欠部とクリングスとを係合させることで、前枠を細長部材に取り付けることが可能な構成とされている。但し、突起部が、前方に突出し、細長部材に設けられ、クリングスが、前枠に設けられている点は、第１の手段として提供される眼鏡と異なる。また、第１の手段として提供される眼鏡と同様に、左右のクリングスを切欠部と係合している状態からさらに弾性変形させて、切欠部と左右のクリングスとの係合を解除すれば、前枠を細長部材から取り外すことができる。よって、第３の手段として提供される眼鏡は、第１の手段として提供される眼鏡と同様に、磁石を設けなくても、前枠を着脱自在に取り付けることができる構成とされているので、廉価で、軽量で且つデザイン性に優れる。
【００１５】
また、前記課題を解決するべく、本考案は、第４の手段として、左右のレンズ及び該左右のレンズを保持するリム部を具備する前枠と、左右のテンプルと、該左右のテンプルに連結され、前記前枠が着脱自在に後面に取り付けられる細長部材とを備えた眼鏡であって、前記細長部材は、後方に突出し、側方に切欠部が形成された突起部を具備し、前記前枠には、鼻パッドがそれぞれ取り付けられた弾性を有する左右のクリングスが設けられ、前記左右のクリングスが、互いに左右反対方向に付勢されると共に、前記左右のクリングスが互いに左右反対方向に弾性変形し、前記突起部の切欠部に対して弾性的に係合することで、前記前枠が前記細長部材の後面に取り付けられることを特徴とする眼鏡を提供する。
【００１６】
第４の手段として提供される眼鏡は、第３の手段として提供される眼鏡と同様に、突起部が、細長部材に設けられ、クリングスが、前枠に設けられている。但し、突起部は、後方に突出している点が、第３の手段として提供される眼鏡と異なる。このように第４の手段として提供される眼鏡においては、突起部が後方に突出しているため、第２の手段として提供される眼鏡と同様に、前枠を細長部材の後面に取り付けることが可能な構成とされている。また、第１の手段として提供される眼鏡と同様に、左右のクリングスを切欠部と係合している状態からさらに弾性変形させて、切欠部と左右のクリングスとの係合を解除すれば、前枠を細長部材から取り外すことができる。よって、第４の手段として提供される眼鏡は、第１の手段として提供される眼鏡と同様に、磁石を設けなくても、前枠を着脱自在に取り付けることができる構成とされているので、廉価で、軽量で且つデザイン性に優れる。
【００１７】
第３の手段及び第４の手段として提供される眼鏡においては、好ましくは、前記前枠は、前後方向に延びる貫通孔を具備し、前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合する構成とされる。
【００１８】
かかる好ましい構成によれば、細長部材が前後方向に延びる貫通孔を具備し、突起部が貫通孔に挿通されるため、細長部材に対する突起部の上下左右方向の移動が阻止される。これにより、突起部ひいては前枠の細長部材への取り付け状態を安定化させることができる。また、切欠部は、突起部が貫通孔に挿通された状態において、貫通孔外に露出する位置に形成されているため、突起部を貫通孔に挿通しても、クリングスと突起部との係合が阻害されることはない。
【考案の効果】
【００１９】
本考案によれば、前枠が着脱自在であって、廉価で、軽量で且つデザイン性に優れた眼鏡を提供することができる。
【考案を実施するための最良の形態】
【００２０】
（実施形態１）
図１は、前枠が細長部材の前面に取り付けられた状態の本実施形態に係る眼鏡の外観図であり、図１（ａ）は眼鏡の平面図を示し、図１（ｂ）は眼鏡の正面図を示し、図１（ｃ）は眼鏡の背面図を示す。尚、図１（ｂ）及び図１（ｃ）においては、後述するテンプル及び丁番構造は図示を省略している。図１に示すように、本実施形態に係る眼鏡１は、左右のレンズ３１と、該左右のレンズ３１を保持するリム部３２とを具備する前枠３と、テンプル４と、該左右のテンプル４に連結され、前枠３が着脱自在に前面に取り付けられる細長部材２とを備えている。
【００２１】
図２は、細長部材２及びテンプル４の外観図であり、図２（ａ）は平面図を示し、図２（ｂ）は正面図を示し、（ｃ）は背面図を示し、図２（ｄ）は、細長部材２の左の貫通孔（後述する）近傍の拡大背面図を示す。尚、図２（ｂ）及び図２（ｃ）においては、テンプル４及び丁番構造２３の図示を省略している。図２に示すように、細長部材２は、長手方向が左右方向に向けられており、左右方向中央部は、眼鏡１のユーザの鼻の形状に対応して前方に突出するブリッジ部２２１が形成されている。かかる細長部材２には、丁番構造２３と、左右のクリングス２４と、鼻パッド２５と、貫通孔２６とが設けられている。
【００２２】
丁番構造２３は、細長部材２の左右方向両端部に設けられている。左右それぞれの丁番構造２３は、左右それぞれのテンプル４の前端部が回動自在に連結され、左右それぞれのテンプル４を細長部材２に対して回動自在としている。
【００２３】
図２（ｂ）に示すように、左右のクリングス２４は、中間部２４２が屈曲した略Ｌ字状に形成されている。左右のクリングス２４は、基端部２４１が細長部材２の後面中央部にろう付け等により取り付けられている。左のクリングス２４は、基端部２４１に対して中間部２４２が略水平方向右側に位置し、中間部２４２に対して先端部２４３が下方に位置している。右のクリングス２４は、基端部２４１に対して中間部２４２が略水平方向左側に位置し、中間部２４２に対して先端部２４３が下方に位置している。左右のクリングス２４は、弾性を有し、中間部２４２における屈曲角が大きくなる方向に弾性変形すると、当該屈曲角を小さくする方向に付勢力が作用する。即ち、図２（ｃ）に示すように、左のクリングス２４の中間部２４２から先端部２４３の間の部分（以下、係合部２４４という）が右（矢印Ｒ）方向に移動するように弾性変形させると、左のクリングス２４には、係合部２４４を左（矢印Ｌ）方向に付勢する付勢力が作用する。同様に、右のクリングス２４の係合部２４４が左（矢印Ｌ）方向に移動するように弾性変形させると、右のクリングス２４には、係合部２４４を右（矢印Ｒ）方向に付勢する付勢力が作用する。また、左右のクリングス２４は、中間部２４２における屈曲角が小さくなる方向に弾性変形すると、当該屈曲角を大きくする方向の付勢力が作用する。このような左右のクリングス２４の先端部２４３には、鼻パッド２５が取り付けられている。
【００２４】
貫通孔２６は、細長部材２を前後方向に貫通する前後方向に延びる孔である。図２（ａ）〜（ｃ）に示すように、貫通孔２６は、細長部材２の左右の２箇所に形成されている。本実施形態では、図２（ｄ）に示すように、左の貫通孔２６は、左のクリングス２４が弾性変形していないときにおいて、左のクリングス２４の係合部２４４と前後方向に重なる位置に形成されている。同様に、図示していないが、右の貫通孔２６は、右のクリングス２４が弾性変形していないときにおいて、右のクリングス２４の係合部２４４と前後方向に重なる位置に形成されている。
【００２５】
図３は前枠３の外観図であり、図３（ａ）は前枠３の平面図を示し、図３（ｂ）は前枠３の正面図を示す。図３に示すように、前枠３は、左右のレンズ３１と、リム部３２と、突起部３３とを備えている。
【００２６】
左右のレンズ３１には、例えば、度付きレンズ、サングラスレンズ、又は度付きサングラスレンズ等を使用でき、左右のレンズ３１に使用されるレンズの種類は、特に限定されるものでない。
【００２７】
リム部３２は、左右方向に向けられた細長状に形成されており、左右両側において、左右のレンズ３１の上端部が取り付けられている。また、リム部３２の左右方向中央部は、細長部材２のブリッジ部２２１に対応して前方に突出するブリッジ部３２１が形成されている。
【００２８】
突起部３３は、リム部３２の後面から後方に突出するように形成されている。かかる突起部３３は、リム部３２の後面中央に左右方向に配列されるように２つ形成されている。各突起部３３は、略円柱状に形成されており、軸方向が前後方向に向けられている。突起部３３の径は、細長部材２の貫通孔２６に挿通できるような大きさとされている。２つの突起部３３の間隔は、貫通孔２６の間隔と同一とされている。
【００２９】
また、各突起部３３の側方には、切欠部３３１が形成されている。本実施形態においては、各突起部３３の前枠３の中央側の側方に切欠部３３１が形成されている。即ち、左の突起部３３においては、切欠部３３１は突起部３３の右側面に形成され、右の突起部３３においては、切欠部３３１は突起部３３の左側面に形成されている。尚、切欠部３３１は、突起部３３の側方に形成されていればよく、例えば、突起部３３の周方向全体に形成されていてもよい。切欠部３３１の大きさは、少なくともクリングス２４の係合部２４４がはまり込んで、切欠部３３１と係合部２４４とが係合できる大きさである限りにおいて、限定されるものでない。
【００３０】
また、切欠部３３１は、突起部３３が貫通孔２６に挿通された状態において、貫通孔２６外に露出する位置に形成されている。本実施形態では、切欠部３３１は、前端部（リム部３２側）から、細長部材２の前後方向の長さ（貫通孔２６の長さ）以上後端部側（リム部３２と反対側）に離れた位置に形成されている。このような位置に切欠部３３１が形成されると、突起部３３の切欠部３３１よりも前端部側が貫通孔２６に挿通されているとき、切欠部３３１を貫通孔２６外に露出させることができる。
【００３１】
以上に説明した構成の眼鏡１において、前枠３を細長部材２の前面に取り付ける方法について説明する。図４は、この取り付け方法を説明するための図である。まず、図４（ａ）に示すように、左右のクリングス２４の係合部２４４又は鼻パッド２５を指等でつまみ、左右のクリングス２４の中間部２４２における屈曲角が大きくなるように左右のクリングス２４を弾性変形させて、左右のクリングス２４の係合部２４４を左右の貫通孔２６の間に移動させる。即ち、左のクリングス２４の係合部２４４を右側に移動させて、左の貫通孔２６の右側に移動させ、右のクリングス２４の係合部２４４を左側に移動させて、右の貫通孔２６の左側に移動させる。
【００３２】
次に、図４（ｂ）に示すように、前枠３を細長部材２の前方に移動させ、左の突起部３３を左の貫通孔２６に合わせ、右の突起部３３を右の貫通孔２６に合わせ、前枠３を細長部材２に対して後方へスライドさせる。このスライドにより、左右の突起部３３が前面側から左右の貫通孔２６に挿通される。このスライドにより、突起部３３を前端部まで貫通孔２６に挿通させると、切欠部３３１は、前端部から貫通孔２６の長さ以上後端部側に形成されているので、左右の突起部３３の切欠部３３１は、貫通孔２６から細長部材２の後方に露出する。このように、切欠部３３１が露出すると、係合部２４４又は鼻パッド２５から指等を離す。
【００３３】
上述のように、左右のクリングス２４の中間部２４２における屈曲角が大きくなるように弾性変形させて、左右のクリングス２４の係合部２４４を左右の貫通孔２６の間に移動させているので、係合部２４４又は鼻パッド２５から指等を離すと、左右のクリングス２４には、中間部２４２における屈曲角が小さくなる方向の付勢力が作用する。即ち、左のクリングス２４には、係合部２４４を左方向に付勢する付勢力が作用し、右のクリングス２４には、係合部２４４を右方向に付勢する付勢力が作用する。また、左の貫通孔２６は、左のクリングス２４が弾性変形していないときにおいて、左のクリングス２４の係合部２４４と前後方向に重なる位置に形成されている。よって、左のクリングス２４に作用する付勢力は、係合部２４４が貫通孔２６と前後方向に重なる位置に移動するまで作用する。しかし、左の貫通孔２６には、図４（ｃ）に示すように、左の突起部３３が挿通されているため、左のクリングス２４の係合部２１４は、左の突起部３３に対して弾性的に係合する。このように、左方向の付勢力によって係合部２１４ｄが突起部３３に係合するので、左の突起部３３を基準にすると、係合部２１４ｄは右側から突起部３３に係合する。上述のように、左の突起部３３は、右側面に切欠部３３１が形成されているので、左のクリングス２１４の係合部２１４ｄは、左の突起部３３に係合する際に、左の突起部３３の切欠部３３１に係合する。同様に、右のクリングス２１４の係合部２１４ｄも右の突起部３３の切欠部３３１に係合する。
【００３４】
このように、互いに反対方向に付勢された左右のクリングス２４の係合部２４４が弾性的に係合することで、前枠３は、左右のクリングス２４の弾性変形による左右反対方向の付勢力が釣り合う位置にて静止する。さらに、突起部３３の側方に形成された切欠部３３１に係合部２４４が係合することで、クリングス２４に対して突起部３３、ひいては前枠３の前後方向の移動が阻止される。このような突起部３３と係合部２４４との係合によって、前枠３は、細長部材２の前面に取り付けられる。
【００３５】
一方、前枠３の細長部材２の前面からの取り外しは、左右のクリングス２４を切欠部３３１と係合している状態からさらに弾性変形させて、切欠部３３１と左右のクリングス２４の係合部２４４との係合を解除する。具体的には、左右のクリングス２４の係合部２４４又は左右の鼻パッド２５を指等でつまんで、左のクリングス２４の係合部２４４を右側に移動させ、右のクリングス２４の係合部２４４を左側に移動させて、切欠部３３１と係合部２４４との係合を解除する。次に、貫通孔２６から突起部３３が完全に抜けるまで、前枠３を細長部材２に対して前方にスライドさせることで、前枠３を細長部材２の前面から取り外すことができる。
【００３６】
以上のように、本実施形態の眼鏡１は、切欠部３３１とクリングス２４の係合部２４４との係合によって、前枠３が細長部材２に対して着脱自在に取り付けられる構成とされている。よって、本実施形態の眼鏡１は、磁石を設けなくても、前枠を着脱自在に取り付けることができるので、廉価で、軽量で且つデザイン性に優れる。また、本実施形態に係る眼鏡１は、このように前枠３が着脱可能であるので、各種の前枠３を用意しておくことにより、ＴＰＯに応じた前枠３を細線部材２に取り付けることで、ＴＰＯに応じた外観に容易に変更可能である。また、前枠３と細長部材２とは別体であるため、細長部材２の形状によって、前枠３の左右のレンズの３１の形状が影響されることがない。従って、本実施形態の眼鏡１は、左右のレンズ３１の焦点を調整する機能を考慮することなく、眼鏡１全体のデザイン性を向上させることを考慮して細長部材２の形状を設計できるので、デザイン性がより優れた形状に設計することが可能である。
【００３７】
また、本実施形態に係る眼鏡１においては、左右のクリングス２４は、細長部材２に具備された貫通孔２６に突起部３３が挿通された状態の切欠部３３１に係合している。そのため、細長部材２に対する突起部３３の上下左右方向の移動が阻止される。これにより、突起部３３、ひいては前枠３の細長部材２への取り付け状態を安定化させることができる。また、切欠部３３１は、突起部３３が貫通孔２６に挿通された状態において、貫通孔２６外に露出する位置に形成されているため、突起部３３を貫通孔２６に挿通しても、クリングス２４と突起部３３との係合が阻害されることはない。よって、本実施形態に係る眼鏡１においては、クリングス２４の係合部２４４と突起部３３の切欠部３３１との係合を阻害させることなく前枠３の細長部材２への取り付け状態の安定化が図られている。
【００３８】
（実施形態２）
図５は、本実施形態に係る眼鏡１Ａの平面図である。図５に示すように、眼鏡１Ａは、実施形態１の眼鏡１と同様に、前枠３Ａと、細長部材２Ａとを備える。眼鏡１Ａは、前枠３Ａが細長部材２Ａの後面に着脱自在に取り付けられる構成とされている。細長部材２Ａは、実施形態１の細長部材２（図２参照）と同一の構成とされている。
【００３９】
一方、前枠３Ａは、突起部３３Ａが形成されている位置、突起部３３Ａの突出方向が実施形態１の前枠３と異なっている。
【００４０】
図６は、前枠３Ａの平面図である。図６に示すように、前枠３Ａに形成される突起部３３Ａは、リム部３２Ａの前面中央から前方に突出するように２つ形成されている。突起部３３Ａの形状は、実施形態１の突起部３３と同一であり、また、２つの突起部３３Ａの間隔は、貫通孔２６Ａと同一の間隔である。さらに、突起部３３Ａは、実施形態１の突起部３３と同様に、切欠部３３１Ａが側方に形成されている。切欠部３３１Ａの大きさは実施形態１の切欠部３３１と同一である。また、突起部３３Ａの切欠部３３１Ａの形成される前後方向の位置は、前端部から細長部材２Ａの前後方向の長さ（貫通孔２６Ａの長さ）よりも大きく後端部（前枠３Ａ）側に離れた位置である。このような位置に切欠部３３１Ａが形成されると、突起部３３Ａの切欠部３３１Ａよりも先端部側が貫通孔２６Ａを貫通しているとき、切欠部３３１Ａを貫通孔２６Ａ外に露出させることができる。
【００４１】
本実施形態に係る眼鏡１Ａにおける前枠３Ａの細長部材２Ａの後面への取り付けは、まず、実施形態１同様に、左右のクリングス２４Ａの係合部２４４Ａ又は鼻パッド２５Ａを指等でつまみ、左右のクリングス２４Ａの係合部２４４Ａを左右の貫通孔２６Ａの間に移動させる。次に、前枠３Ａを細長部材２Ａの後方に移動させる。そして、左右の突起部３３Ａと左右の貫通孔２６Ａとを合わせて、前枠３Ａを細長部材２Ａに対して前方へスライドさせて、左右の突起部３３Ａを後面側から左右の貫通孔２６Ａに挿通させる。このスライドにより、切欠部３３１Ａが貫通孔２６Ａの手前側（細長部材２Ａの後面側）に露出した状態で、突起部３３Ａの先端部が貫通孔２６Ａから細長部材２Ａの前面側に露出すると、係合部２４４Ａ又は鼻パッド２５Ａから指等を離す。これにより、図５に示すように、切欠部３３１Ａに係合部２４４Ａが係合し、前枠３Ａが細長部材２Ａの後面に取り付けられる。
【００４２】
また、前枠３Ａの細長部材２Ａの後面からの取り外しは、実施形態１と同様に、係合部２４４Ａと切欠部３３１Ａとの係合を解除した後、貫通孔２６から突起部３３Ａが完全に抜けるまで、前枠３Ａを細長部材２Ａに対して後方にスライドさせることで、行うことができる。
【００４３】
以上のように、本実施形態の眼鏡１Ａは、実施形態１の眼鏡１と同様に、磁石を設けなくても、前枠３Ａを着脱自在に取り付けることができる構成とされているので、廉価で、軽量で且つデザイン性に優れる。
【００４４】
（実施形態３）
図７は、本実施形態に係る眼鏡１Ｂの平面図である。図７に示すように、本実施形態に係る眼鏡１Ｂは、実施形態１の眼鏡１と同様に、前枠３Ｂが細長部材２Ｂの前面に着脱自在に取り付けられる構成とされている。眼鏡１Ｂは、突起部３３Ｂが、細長部材２Ｂに具備されて前方に突出し、左右のクリングス２４Ｂと、鼻パッド２５Ｂと、貫通孔２６Ｂとが前枠３Ｂに具備されている点を除いて、実施形態１の眼鏡１と同一の構成である。
【００４５】
図８は本実施形態に係る眼鏡１Ｂの前枠３Ｂの外観図であり、図８（ａ）は前枠３Ｂの平面図を示し、図８（ｂ）は前枠３Ｂの背面図を示す。図８に示すように、前枠３Ｂは、レンズ３１Ｂと、リム部３２Ｂと、左右のクリングス２４Ｂと、鼻パッド２５Ｂと、貫通孔２６Ｂとを備えている。レンズ３１Ｂとリム部３２Ｂの構成は実施形態１と同一である。
【００４６】
クリングス２４Ｂは、前枠３Ｂに２つ備えられ、左右に配列されるように、リム部３２Ｂの後面中央部に取り付けられている。図８（ｂ）に示すように、左右のクリングス２４Ｂは、実施形態１と同様に、中間部２４２Ｂが屈曲した略Ｌ字状に形成されている。左右のクリングス２４Ｂは、基端部２４１Ｂがリム部３２Ｂの後面中央部に取り付けられている。左右のクリングス２４Ｂの基端部２４１Ｂと、中間部２４２Ｂと、先端部２４３Ｂとの位置関係は、実施形態１と同様である。また、左右のクリングス２４Ｂは、実施形態１のクリングス２４と同様に、弾性を有し、中間部２４２Ｂにおける屈曲角が大きくなる方向に弾性変形すると、当該屈曲角を小さくする方向に付勢力が作用し、中間部２４２Ｂにおける屈曲角が小さくなる方向に弾性変形すると、当該屈曲角を大きくする方向の付勢力が作用する。このような左右のクリングス２４Ｂの先端部２４３Ｂには、鼻パッド２５Ｂが取り付けられている。
【００４７】
図８（ｂ）に示すように、貫通孔２６Ｂは、リム部３２Ｂの中央の左右２箇所に形成されている。左右の貫通孔２６Ｂが形成される位置と、左右のクリングス２４Ｂの位置関係は、実施形態１と同様である。
【００４８】
図９は、細長部材２Ｂ及びテンプル４Ｂの平面図である。図９に示すように、細長部材２Ｂは、丁番構造２３Ｂと、突起部３３Ｂとを備えている。丁番構造２３Ｂの構造は、実施形態１と同じである。
【００４９】
突起部３３Ｂは、細長部材２Ｂの前面から前方に突出するように形成されている。かかる突起部３３Ｂは、細長部材２Ｂの前面中央に左右方向に配列されるように２つ形成されている。突起部３３Ｂの形状は、実施形態１の突起部３３と同一であり、また、２つの突起部３３Ｂの間隔は、貫通孔２６Ｂと同一の間隔である。さらに、突起部３３Ｂは、実施形態１の突起部３３と同様に、切欠部３３１Ｂが側方に形成されている。突起部３３Ｂの切欠部３３１Ｂの形成される前後方向の位置は、先端部から細長部材２Ｂの前後方向の長さ（貫通孔２６Ｂの長さ）よりも大きく後端部（細長部材２Ｂ）側に離れた位置である。尚、切欠部３３１Ｂの大きさは、実施形態１の切欠部３３１と同一である。
【００５０】
眼鏡１Ｂにおける前枠３Ｂの細長部材２Ｂの前面への取り付けは、まず、実施形態１と同様に、左右のクリングス２４Ｂの係合部２４４Ｂ又は鼻パッド２５Ｂを指等でつまみ、左右のクリングス２４Ｂの係合部２４４Ｂを左右の貫通孔２６Ｂの間に移動させる。次に、前枠３Ｂを細長部材２Ｂの前方に移動させる。そして、左右の突起部３３Ｂと左右の貫通孔２６Ｂとを合わせて、前枠３Ｂを細長部材２Ｂに対して後方へスライドさせて、左右の突起部３３Ｂを後面側から左右の貫通孔２６Ｂに挿通させる。このスライドにより、切欠部３３１Ｂが貫通孔２６Ｂの手前側（細長部材２Ｂの後面側）に露出した状態で、突起部３３Ｂの先端部が貫通孔２６Ｂから細長部材２Ｂの前面側に露出すると、係合部２４４Ｂ又は鼻パッド２５Ｂから指等を離す。これにより、図７に示すように、切欠部３３１Ｂに係合部２４４Ｂが係合し、前枠３Ｂが細長部材２Ｂの前面に取り付けられる。
【００５１】
また、前枠３Ｂの細長部材２Ｂの前面からの取り外しは、実施形態１と同様に、係合部２４４Ｂと切欠部３３１Ｂとの係合を解除した後、貫通孔２６Ｂから突起部３３Ｂが完全に抜けるまで、前枠３Ｂを細長部材２Ｂに対して前方にスライドさせることで行うことができる。
【００５２】
以上のように、本実施形態の眼鏡１Ｂは、実施形態１の眼鏡１と同様に、磁石を設けなくても、前枠３Ｂを着脱自在に取り付けることができる構成とされているので、廉価で、軽量で且つデザイン性に優れる。
【００５３】
（実施形態４）
図１０は、本実施形態に係る眼鏡１Ｃの平面図である。眼鏡１Ｃは、実施形態２に係る眼鏡１Ａと同様に、前枠３Ｃと、細長部材２Ｃとを備え、前枠３Ｃが細長部材２Ｃの後面に着脱自在に取り付けられる構成とされている。眼鏡１Ｃは、突起部３３Ｃが、細長部材２Ｃに具備されて後方に突出し、クリングス２４Ｃと、鼻パッド２５Ｃと、貫通孔２６Ｃとが前枠３Ｃに具備されている点を除いて、実施形態２に係る眼鏡１Ａと同じである。尚、前枠３Ｃは、実施形態３に係る前枠３Ｂ（図８参照）と同様の構成である。
【００５４】
図１１は、細長部材２Ｃ及びテンプル４Ｃの平面図である。図１１に示すように、細長部材２Ｃは、突起部３３Ｃが形成されている位置、突起部３３Ｃの突出方向、切欠部３３１Ｃが形成される位置が異なっている点を除いて、実施形態３に係る細長部材２Ｂ（図９参照）と同一の構成である。細長部材２Ｃに形成される突起部３３Ｃは、細長部材２Ｃの後面に後方に突出するように形成されている。切欠部３３１Ｃが形成される突起部３３Ｃの前後方向の位置は、実施形態１の突起部３３Ｃと同一である。即ち、切欠部３３１Ｃの形成される位置は、前端部から細長部材２Ｃの前後方向の長さ（貫通孔２６の長さ）以上、先端部側（細長部材２Ｃと反対側）に離れた位置である。
【００５５】
眼鏡１Ｃにおける前枠３Ｃの細長部材２Ｃの後面への取り付けは、まず、実施形態１と同様に、左右のクリングス２４Ｃの係合部２４４Ｃ又は鼻パッド２５Ｃを指等でつまみ、左右のクリングス２４Ｃの係合部２４４Ｃを左右の貫通孔２６Ｃの間に移動させる。次に、前枠３Ｃを細長部材２Ｃの後方に移動させる。そして、左右の突起部３３Ｃと左右の貫通孔２６Ｃとを合わせて、前枠３Ｃを細長部材２Ｃに対して前方へスライドさせて、左右の突起部３３Ｃを前面側から左右の貫通孔２６Ｃに挿通させる。突起部３３Ｂの切欠部３３１Ｃが貫通孔２６Ｃから細長部材２Ｃの後面側に露出するまでこのスライドを行う。切欠部３３１Ｃが貫通孔２６Ｃから細長部材２Ｃの後面側に露出すると、係合部２４４Ｃ又は鼻パッド２５Ｃから指等を離す。これにより、図１０に示すように、切欠部３３１Ｃに係合部２４４Ｃが係合し、前枠３Ｃが細長部材２Ｃの後面に取り付けられる。
【００５６】
また、前枠３Ｃの細長部材２Ｃの後面からの取り外しは、実施形態１と同様に、係合部２４４Ｃと切欠部３３１Ｃとの係合を解除した後、貫通孔２６Ｃから突起部３３Ｃが完全に抜けるまで、前枠３Ｃを細長部材２Ｃに対して後方にスライドさせることで行うことができる。
【００５７】
以上のように、本実施形態の眼鏡１Ｃは、実施形態１の眼鏡１と同様に、磁石を設けなくても、前枠３Ｂを着脱自在に取り付けることができる構成とされているので、廉価で、軽量で且つデザイン性に優れる。
【００５８】
尚、実施形態１〜４においては、前枠を細長部材に取り付ける際に、左右のクリングスに反対方向の付勢力を作用させるために、左のクリングスの係合部を左の貫通孔の右側に移動させて、左のクリングスに左方向の付勢力を作用させ、右のクリングスの係合部を右の貫通孔の左側に移動させ、右のクリングスに左方向の付勢力を作用させている。このような反対方向の付勢力を作用させる方法としては、例えば、左のクリングスの係合部を左の貫通孔の左側に移動させて、左のクリングスに右方向の付勢力を作用させ、右のクリングスの係合部を右の貫通孔の右側に移動させ、右のクリングスに左方向の付勢力を作用させる方法を挙げることができ、この方法を実施形態１〜４に採用してもよい。この方法を採用する場合は、左の突起部の左側と、右の突起部の右側に切欠部を設ける必要がある。
【００５９】
また、実施形態１〜４においては、好ましい構成として、細長部材又は前枠に形成された貫通孔に突起部が挿通された状態の切欠部に左右のクリングスを係合させた構成について説明した。しかし、本考案の眼鏡は、貫通孔に突起部を挿通させることは必須の構成ではない。例えば、実施形態１又は４のように、クリングスが細長部材に備えられ、突起部が前枠に備えられる構成においては、突起部を細長部材の下方を通過させて、クリングスと係合させる構成を採用することができる。また、実施形態２又は３のように、クリングスが前枠に備えられ、突起部が細長部材に備えられる構成においては、突起部を前枠のリム部と左右の度付きレンズとの間を通過させて、クリングスと係合させる構成を採用することができる。
【図面の簡単な説明】
【００６０】
【図１】図１は、前枠が細長部材に取り付けられた状態の実施形態１に係る眼鏡の外観図であり、図１（ａ）は眼鏡の平面図を示し、図１（ｂ）は眼鏡の正面図を示し、図１（ｃ）は眼鏡の背面図を示す。
【図２】図２は、実施形態１に係る眼鏡の細長部材の外観図であり、図２（ａ）は細長部材の平面図を示し、図２（ｂ）は細長部材の正面図を示し、（ｃ）は細長部材の背面図を示し、図２（ｄ）は、左の貫通孔近傍の拡大背面図を示す。
【図３】図３は、実施形態１に係る眼鏡の前枠の外観図であり、図３（ａ）は前枠の平面図を示し、図３（ｂ）は前枠の正面図を示す。
【図４】図４は、前枠を細長部材の前面に取り付ける方法を説明するための図である。
【図５】図５は、実施形態２に係る眼鏡の平面図である。
【図６】図６は、実施形態２に係る前枠の平面図である。
【図７】図７は、実施形態３に係る眼鏡の平面図である。
【図８】図８は、実施形態３に係る眼鏡の前枠の外観図であり、図８（ａ）は前枠の平面図を示し、図８（ｂ）は前枠の背面図を示す。
【図９】図９は、実施形態３に係る眼鏡の細長部材及びテンプルの平面図である。
【図１０】図１０は、実施形態４に係る眼鏡の平面図である。
【図１１】図１１は、実施形態４に係る眼鏡の細長部材及びテンプルの平面図である。
【符号の説明】
【００６１】
１、１Ａ、１Ｂ、１Ｃ  眼鏡
２、２Ａ、２Ｂ、２Ｃ  細長部材
３、３Ａ、３Ｂ、３Ｃ  前枠
２４、２４Ａ、２４Ｂ、２４Ｃ  クリングス
３３、３３Ａ、３３Ｂ、３３Ｃ  突起部
３３１、３３１Ａ、３３１Ｂ、３３１Ｃ  切欠部
【図１】
0003124847.tif 000003
【図２】
0003124847.tif 000004
【図３】
0003124847.tif 000005
【図４】
0003124847.tif 000006
【図５】
0003124847.tif 000007
【図６】
0003124847.tif 000008
【図７】
0003124847.tif 000009
【図８】
0003124847.tif 000010
【図９】
0003124847.tif 000011
【図１０】
0003124847.tif 000012
【図１１】
0003124847.tif 000013